(57)【要約】【課題】リフト板の駆動機構の構成に制約を受けることがなく、安定した給紙動作を遂行することが可能な給紙装置を提供する。【解決手段】原稿搬送装置２０の給紙装置３０は、原稿載置トレイ２１の原稿の搬送方向下流部を給紙位置まで持ち上げるリフト板３１と、このリフト板３１を昇降させる昇降機構９０とを備え、この昇降機構９０が、回転するカム９２と、このカム９２及びリフト板３１とは独立して設けられるとともに、カム９２とリフト板３１との間に介在し、カム９２の形状に伴う動きをリフト板３１に伝達する作動リンク９３とを備える。これにより、作動リンク９３を利用して、カム９２の動きを間接的にリフト板３１に伝達することができる。したがって、リフト板３１の支軸３１ａにねじれなどといった不具合が発生するのを防止することができ、リフト板３１の高さを安定させることが可能である。【選択図】図８
2009286517.tif 000002
【特許請求の範囲】
【請求項１】
用紙収容部から用紙を１枚ずつ分離して送り出す給紙部と、用紙収容部の用紙の搬送方向下流部を給紙位置まで持ち上げるリフト板と、このリフト板を昇降させる昇降機構とを備えた給紙装置において、
前記昇降機構は、回転するカムと、このカム及び前記リフト板とは独立して設けられるとともに、カムとリフト板との間に介在し、カムの形状に伴う動きをリフト板に伝達する作動リンクとを備えることを特徴とする給紙装置。
【請求項２】
前記作動リンクは、一端側に設けられた支軸で支持されるとともに、この支軸の軸線を中心とし、他端側を自由端として揺動自在であって、作動リンクを挟んで、前記リフト板及び前記カムが互いに対向する側に位置し、自由端近傍にリフト板が、支軸と自由端との中間箇所にカムが当接する、或いは支軸と自由端との中間箇所にリフト板が、自由端近傍にカムが当接することを特徴とする請求項１に記載の給紙装置。
【請求項３】
前記作動リンクは、長手方向と直角をなす断面形状がＩ字型形状をなすとともに、そのＩ字型形状の上下方向から各々前記リフト板及び前記カムが当接することを特徴とする請求項１または請求項２に記載の給紙装置。
【請求項４】
前記昇降機構は、前記リフト板を給紙位置の方向に付勢する付勢手段を備え、リフト板に対して、この付勢手段によるリフト板の付勢方向と対向する側に、前記カム及び前記作動リンクが配置されていることを特徴とする請求項１〜請求項３のいずれか１項に記載の給紙装置。
【請求項５】
請求項１〜請求項４のいずれか１項に記載の給紙装置を搭載したことを特徴とする原稿搬送装置。
【請求項６】
請求項１〜請求項４のいずれか１項に記載の給紙装置を搭載したことを特徴とする画像形成装置。
【発明の詳細な説明】
【技術分野】
【０００１】
本発明は、複写機やプリンタに代表される画像形成装置に適用可能な、カットペーパー等の給紙装置に関する。また、この給紙装置を搭載した原稿搬送装置、画像形成装置に関する。なお、以下の説明において、印刷対象となる画像データが記載された原稿と、その画像データの印刷に使用する用紙とを、総じて「用紙」と称することがある。
【背景技術】
【０００２】
給紙装置は、複写機やプリンタに代表される画像形成装置において、カットペーパーなどの給紙用として不可欠である。画像形成装置における給紙装置には、原稿載置トレイや給紙カセットなどといった収容部に原稿や用紙を予め多数ストックしておき、収容部内に積み上げられた原稿や用紙の最上層から１枚ずつ分離供給するものが多い。このような給紙装置は、画像形成装置に搭載された原稿搬送装置やカセット式給紙部、手差し給紙部などに用いられている。
【０００３】
収容部の外部へと原稿や用紙を送り出す給紙装置の機構としては、ローラ供給方式と吸引供給方式とが存在するが、ローラ供給方式が一般的に広く用いられている。ローラ供給方式では、ピックアップローラが原稿束や用紙束の最上層に接触して原稿や用紙を給紙方向下流側の給紙ローラへと引き渡し、この給紙ローラによって原稿や用紙を１枚ずつ収容部の外部へと送り出す。
【０００４】
給紙装置のピックアップローラと、原稿束や用紙束の最上層とは、給紙時、互いに接触させる必要があるが、給紙を実行しない時、収容部に原稿や用紙を載置、補充することがあるので、互いが接触しないよう、少なくともいずれかを退避させておく必要がある。このため、給紙装置には、ピックアップローラと、原稿束や用紙束の最上層とが互いに接触する給紙位置と、それら一方が他方から離間した退避位置との間で揺動可能な機構が備えられているものがある。
【０００５】
このような給紙装置のうち、原稿載置トレイに積み上げられた原稿束の原稿搬送方向下流部をピックアップローラに向かって付勢する給紙装置の一例を、特許文献１に見ることができる。特許文献１に記載された自動原稿送り装置（給紙装置）は、原稿束の原稿搬送方向下流部を昇降させる可動ガイド板（リフト板）を備えている。
【特許文献１】特開平６−２５５８０６号公報（第４頁、図５）
【発明の開示】
【発明が解決しようとする課題】
【０００６】
特許文献１に記載された自動原稿送り装置（給紙装置）は、可動板作動手段に設けられた偏心カム板をモータによって回転させることにより可動ガイド板（リフト板）を昇降させ、原稿束の最上層の原稿搬送方向下流部を給紙位置に変位させることが可能である。しかしながら、この給紙装置は、可動ガイド板の支軸に固定された可動板レバーにカムを当接させることにより、カムの形状に伴う動きを可動ガイド板に直接伝達しているので、カムによる昇降動作を繰り返しているとその支軸に負荷が掛かり、可動ガイド板と可動板レバーとの間に軸線周りのねじれといった不具合が生じる恐れがある。これにより、可動ガイド板と可動板レバーとの、互いの組み立て当初の相対位置が変化し、可動ガイド板の高さが安定しなくなることが懸念される。その結果、給紙動作に悪影響を及ぼす可能性がある。
【０００７】
また、可動板レバーが可動ガイド板の回転軸に固定されているということは、これらの部材は近接した位置関係にある。したがって、カム及びカムを回転させるモータなどの駆動源は、可動ガイド板の近くに配置しなければならない。これにより、駆動機構の構成に制約が生じるといった問題が発生する。また、可動ガイド板から駆動源を離間させる場合には、ベルトや複数のギアなどの機構部品が必要になり、使用材料、使用部品が大幅に増加して、コストアップが生じることが懸念される。また、それらベルトや複数のギアなどの配置スペースを確保することを考慮すると、給紙装置の大型化を招く恐れもある。
【０００８】
本発明は上記の点に鑑みなされたものであり、リフト板を昇降させることにより原稿束や用紙束の最上層を給紙位置に変位させる給紙装置において、リフト板の駆動機構の構成に制約を受けることがなく、安定した給紙動作を遂行することが可能な給紙装置を提供することを目的とする。また、このような給紙装置を搭載した信頼性の高い原稿搬送装置、画像形成装置を提供することを目的とする。
【課題を解決するための手段】
【０００９】
上記の課題を解決するため、本発明は、用紙収容部から用紙を１枚ずつ分離して送り出す給紙部と、用紙収容部の用紙の搬送方向下流部を給紙位置まで持ち上げるリフト板と、このリフト板を昇降させる昇降機構とを備えた給紙装置において、前記昇降機構は、回転するカムと、このカム及び前記リフト板とは独立して設けられるとともに、カムとリフト板との間に介在し、カムの形状に伴う動きをリフト板に伝達する作動リンクとを備えることとした。
【００１０】
また、上記構成の給紙装置において、前記作動リンクは、一端側に設けられた支軸で支持されるとともに、この支軸の軸線を中心とし、他端側を自由端として揺動自在であって、作動リンクを挟んで、前記リフト板及び前記カムが互いに対向する側に位置し、自由端近傍にリフト板が、支軸と自由端との中間箇所にカムが当接する、或いは支軸と自由端との中間箇所にリフト板が、自由端近傍にカムが当接することとした。
【００１１】
また、上記構成の給紙装置において、前記作動リンクは、長手方向と直角をなす断面形状がＩ字型形状をなすとともに、そのＩ字型形状の上下方向から各々前記リフト板及び前記カムが当接することとした。
【００１２】
また、上記構成の給紙装置において、前記昇降機構は、前記リフト板を給紙位置の方向に付勢する付勢手段を備え、リフト板に対して、この付勢手段によるリフト板の付勢方向と対向する側に、前記カム及び前記作動リンクが配置されていることとした。
【００１３】
また本発明では、上記構成の給紙装置を原稿搬送装置に搭載することとした。
【００１４】
また本発明では、上記構成の給紙装置を画像形成装置に搭載することとした。
【発明の効果】
【００１５】
本発明の構成によれば、用紙収容部から用紙を１枚ずつ分離して送り出す給紙部と、用紙収容部の用紙の搬送方向下流部を給紙位置まで持ち上げるリフト板と、このリフト板を昇降させる昇降機構とを備えた給紙装置において、前記昇降機構は、回転するカムと、このカム及び前記リフト板とは独立して設けられるとともに、カムとリフト板との間に介在し、カムの形状に伴う動きをリフト板に伝達する作動リンクとを備えることとしたので、作動リンクを利用して、カムの動きを間接的にリフト板に伝達することができる。これにより、リフト板の支軸にねじれなどといった不具合が発生するのを防止することができ、リフト板の高さを安定させることが可能である。また、作動リンクの配置は自在に変更することが可能であり、カムとリフト板とを離れた箇所に配置することもできる。これにより、簡便な構成で、給紙装置の大型化、コストアップを防止しながら、好適なリフト板の昇降動作を実現することが可能である。このようにして、リフト板の駆動機構の構成に制約を受けることがなく、安定した給紙動作を遂行することが可能な給紙装置を提供することができる。
【００１６】
また、前記作動リンクは、一端側に設けられた支軸で支持されるとともに、この支軸の軸線を中心とし、他端側を自由端として揺動自在であって、作動リンクを挟んで、前記リフト板及び前記カムが互いに対向する側に位置し、自由端近傍にリフト板が、支軸と自由端との中間箇所にカムが当接する、或いは支軸と自由端との中間箇所にリフト板が、自由端近傍にカムが当接することとしたので、棒状の部材である作動リンクを用いて、カムの動きを効率よくリフト板に伝達する簡便な機構を構成することができる。これにより、リフト板の駆動機構の設計やその配置に自由度が高くなり、さらに給紙動作の安定性を向上させることができる。そして、リフト板の支軸にレバーを固定し、このレバーを介してカムの動きを直接的にリフト板に伝達する場合と比較して、コストアップや装置の大型化をほとんど生じさせることがない。
【００１７】
また、前記作動リンクは、長手方向と直角をなす断面形状がＩ字型形状をなすとともに、そのＩ字型形状の上下方向から各々前記リフト板及び前記カムが当接することとしたので、断面係数が高くなり、作動リンク自体の強度を高めることができる。これにより、カムとリフト板との間で負荷が掛かるような場合であっても、作動リンクの変形を防止することができる。したがって、リフト板の高さが一層安定し、好適な給紙動作を遂行し続けることが可能である。
【００１８】
また、前記昇降機構は、前記リフト板を給紙位置の方向に付勢する付勢手段を備え、リフト板に対して、この付勢手段によるリフト板の付勢方向と対向する側に、前記カム及び前記作動リンクが配置されていることとしたので、付勢手段の力を利用して用紙束の最上層をピックアップローラに当接、離間させ、その動作をカム及び作動リンクで制御することになる。したがって、付勢手段の力を調節することで、用紙とピックアップローラとの当接具合を好適な状態に設定することができ、さらにその付勢手段の力と、カム及び作動リンクの制御とで、スムーズな給紙動作を遂行することが可能である。
【００１９】
また本発明では、上記給紙装置を原稿搬送装置に搭載することとしたので、原稿束の最上層を給紙位置に変位させるべく揺動するリフト板の駆動機構の構成に制約を受けることがなく、安定した給紙動作を遂行することが可能な信頼性の高い原稿搬送装置を提供することができる。
【００２０】
また本発明では、上記給紙装置を画像形成装置に搭載することとしたので、原稿束や用紙束の最上層を給紙位置に変位させるべく揺動するリフト板の駆動機構の構成に制約を受けることがなく、安定した給紙動作を遂行することが可能な信頼性の高い画像形成装置を提供することができる。
【発明を実施するための最良の形態】
【００２１】
以下、本発明の実施形態を図１〜図１０に基づき説明する。
【００２２】
最初に、本発明の実施形態に係る給紙装置を搭載した画像形成装置について、図１を用いてその構造の概略を説明しつつ、画像出力動作を説明する。図１は、画像形成装置の模型的垂直断面正面図である。図中の、実線矢印は用紙の搬送経路及び搬送方向を、一点鎖線矢印はレーザ光Ｌを示す。
【００２３】
図１に示すように、画像形成装置１の本体２の内部下方には、給紙カセット３が配置されている。給紙カセット３は、その内部に、印刷前のカットペーパー等の用紙Ｐを積載して収容している。そして、この用紙Ｐは、図１において給紙カセット３の左上方に向けて、１枚ずつ分離されて送り出される。給紙カセット３は、本体２の正面側から水平に引き出すことが可能である。
【００２４】
本体２の内部であって、給紙カセット３の左方には、第１用紙搬送部４が備えられている。第１用紙搬送部４は、本体２の左側面に沿って略垂直に形設されている。そして、第１用紙搬送部４は、給紙カセット３から送り出された用紙Ｐを受け取り、本体２の左側面に沿って垂直上方に転写部１０まで搬送する。
【００２５】
給紙カセット３の上方であって、第１用紙搬送部４が形設された本体２の左側面とは反対側の側面である右側面の箇所には、手差し給紙部５が備えられている。手差し給紙部５には、給紙カセット３に入っていないサイズの用紙Ｐや、厚紙、ＯＨＰシートのように１枚ずつ送り込みたいものが載置される。
【００２６】
手差し給紙部５の左方には、第２用紙搬送部６が備えられている。第２用紙搬送部６は、給紙カセット３のすぐ上方にあって、手差し給紙部５から第１用紙搬送部４まで略水平に延び、第１用紙搬送部４に合流している。そして、第２用紙搬送部６は、手差し給紙部５から送り出された用紙Ｐ等を受け取り、略水平に第１用紙搬送部４まで搬送する。
【００２７】
一方、画像形成装置１の本体２の上面には原稿搬送装置２０が、その下方には画像読取装置７が備えられている。ユーザーが原稿の複写を行う場合には、原稿搬送装置２０に、文字や図形、模様等の画像が描かれた原稿を積載する。原稿搬送装置２０では１枚ずつ分離して原稿が送り出され、画像読取装置７によってその画像データが読み取られる。
【００２８】
原稿画像の読み取り、すなわち印刷の開始は、本体２の上部であって、画像読取装置７の正面側に備えられた操作パネル（図示せず）を用いて実行される。ユーザーは、この操作パネルから、使用する用紙サイズや拡大縮小、両面印刷の有無といった印刷条件などを入力して設定することが可能である。
【００２９】
原稿の画像データの情報は、第２用紙搬送部６の上方であって、本体２の中央部に配置された露光装置８に送られる。露光装置８により、画像データに基づいて制御されたレーザ光Ｌが、画像形成部９に向かって照射される。
【００３０】
第１用紙搬送部４の上方であって、露光装置８の左方には、画像形成部９及び転写部１０が備えられている。画像形成部９では、露光装置８によって照射されたレーザ光Ｌにより原稿画像の静電潜像が形成され、この静電潜像からトナー像が現像される。トナーは、露光装置８の上方に備えられたトナーコンテナ１１から画像形成部９に補給される。画像形成部９で形成されたトナー像は、第１用紙搬送部４によって同期をとって送られてきた印刷前の用紙Ｐに、転写部１０にて転写される。
【００３１】
転写部１０の上方には、定着装置１２が備えられている。転写部１０にて未定着トナー像を担持した用紙Ｐは、定着装置１２へと送られ、熱ローラと加圧ローラとによりトナー像が加熱、加圧されて定着される。
【００３２】
定着装置１２の上方には、用紙案内装置１３が備えられている。定着装置１２から排出された用紙Ｐは、両面印刷を行わない場合、用紙案内装置１３から画像形成装置１の胴内に設けられた胴内用紙排出部１４に排出される。
【００３３】
用紙案内装置１３から胴内用紙排出部１４に向かって用紙Ｐが排出されるその排出口部分は、スイッチバック部１５としての機能を果たす。両面印刷を行う場合には、このスイッチバック部１５において、定着装置１２から排出された用紙Ｐの搬送方向が変更される。そして、用紙Ｐは、用紙案内装置１３を通過し、定着装置１２の左方、及び転写部１０の左方に設けられた両面印刷用用紙搬送路１６を通して下方に送られ、再度第１用紙搬送部４を経て転写部１０へと送られる。
【００３４】
続いて、本体２の上面に搭載された原稿搬送装置２０について、図２を用いてその構造の概略を説明する。図２は、原稿搬送装置の模型的垂直断面正面図である。図２中の実線矢印は、原稿の搬送経路及び搬送方向を示す。
【００３５】
原稿搬送装置２０は、図２に示すように、用紙収容部である原稿載置トレイ２１、給紙装置３０、原稿送り部４０、及び原稿排出トレイ２２を備えている。
【００３６】
原稿載置トレイ２１は、原稿搬送装置２０の上部に設けられている。原稿載置トレイ２１には、原稿を上方から載置して、積み上げることができる。原稿載置トレイ２１は、原稿搬送方向の上流から下流、すなわち図２において右方から左方に向かって下る傾斜をなす構成となっている。
【００３７】
給紙装置３０は、原稿載置トレイ２１の原稿搬送方向下流部に設けられ、リフト板３１と、給紙部７０と、リフト板３１の駆動機構８０（図４参照）を備えている。リフト板３１は、原稿載置トレイ２１の載置面に沿った形をなす板状部材で構成されている。そして、リフト板３１は、その上流部に設けられた略水平な支軸３１ａを中心とし、下流端を自由端として、原稿搬送方向に沿った垂直面内で回転可能にして設けられている。リフト板３１は、原稿供給時、支軸３１ａを中心として回転変位せしめられ、原稿載置トレイ２１に積み上げられた原稿の下流端が、その上方に配置された給紙部７０に接触するように、上方に向かって付勢される。給紙部７０は、原稿載置トレイ２１に積み上げられた原稿を最上層から１枚ずつ分離し、原稿送り部４０の内部に向かって、すなわち図２において左方に向かって送り出す。なお、給紙装置３０の詳細な構成については後述する。
【００３８】
原稿送り部４０は、原稿載置トレイ２１の原稿搬送方向下流端に、原稿供給口４１を備えている。そして、原稿供給口４１の下流側には、原稿送り部４０の内部に向かって第１原稿搬送路４２が延びている。
【００３９】
第１原稿搬送路４２の先は、原稿搬送装置２０の底面に到達し、この箇所に原稿読取部４３が設けられている。また、第１原稿搬送路４２に続いて、原稿読取部４３の箇所から第２原稿搬送路４４が延びている。原稿読取部４３に送り込まれた原稿は、第１原稿搬送路４２から第２原稿搬送路４４へとさらに下流側へ、すなわち図２において原稿読取部４３の箇所を左方から右方へと移動する最中に、その下方に設けられた本体２の画像読取装置７（図１参照）により、下側の面である第１面の画像データが読み取られる。
【００４０】
第２原稿搬送路４４の、原稿読取部４３の下流には、原稿切替部４５が設けられている。原稿の、表裏両面の画像データの読み取りが必要な場合、原稿切替部４５に到達した原稿は、第２原稿搬送路４４の上方へと振り分けられる。そして、その原稿搬送方向下流側に続く原稿反転部４６にて搬送方向が反対方向に変更される。搬送方向が変更された原稿は、原稿切替部４５の上側を経て、原稿読取部４３の上流側の第１原稿搬送路４２に送り込まれ、再度原稿読取部４３で第２面の画像データが読み取られる。
【００４１】
原稿切替部４５の下流であって、第２原稿搬送路４４の下流端には、原稿排出口４７が設けられている。画像データの読み取りが済んだ原稿は、原稿排出口４７から原稿排出トレイ２２に排出される。
【００４２】
原稿排出トレイ２２は、原稿載置トレイ２１の下方に備えられ、これらのトレイが上下二段にして構成されている。原稿排出トレイ２２に排出された原稿は、原稿搬送装置２０の手前側から取り出すことができる。
【００４３】
原稿載置トレイ２１と、原稿排出トレイ２２とは、互いの原稿搬送方向を逆にして、すなわち図２において原稿載置トレイ２１は原稿を左方に向かって送り出し、原稿排出トレイ２２は原稿を右方に向かって排出する形にして構成されている。これにより、原稿供給口４１と原稿排出口４７とが、原稿読取部４３が存在する方向に対して各トレイの同じ側、すなわち図２において左側に設けられている。そして、原稿供給口４１から原稿読取部４３の箇所を経て原稿排出口４７まで延びる第１原稿搬送路４２及び第２原稿搬送路４４は、図２に示すように、上下方向にＵ字形状に、すなわち正面から見てＵ字形状に湾曲した形で設けられている。
【００４４】
上記構成により、原稿搬送装置２０は、原稿載置トレイ２１に積み上げられた原稿を、一枚ずつ分離して原稿送り部４０内に送り込み、原稿読取部４３でその画像データを読み取った後、原稿排出トレイ２２に排出する。
【００４５】
次に、原稿搬送装置２０の給紙装置３０と原稿送り部４０との詳細な構成について、図２に加えて、図３を用いて説明する。図３は、原稿搬送装置の原稿送り部を示す垂直断面正面図である。なお、図３において、実線矢印は原稿の搬送経路及び搬送方向を示す。
【００４６】
給紙装置３０は、前述のように、原稿載置トレイ２１の原稿搬送方向下流端に、リフト板３１と、給紙部７０とを備えている（図３参照）。そして、この給紙装置３０の箇所には、原稿送り部４０の原稿供給口４１が設けられている。原稿供給口４１の下流側には、図３に示すように、第１原稿搬送路４２が下方に向かって延びている。
【００４７】
給紙装置３０の給紙部７０は、原稿搬送方向と直角をなす原稿幅方向略中央部の上方に設けられ、ピックアップローラ７１、給紙ベルト７２、及び分離ローラ７３を備えている。
【００４８】
ピックアップローラ７１は、原稿供給口４１のすぐ上流側に備えられている。原稿供給時、原稿載置トレイ２１に積み上げられた原稿の下流部がリフト板３１によって持ち上げられ、ピックアップローラ７１には、原稿の下流端最上層が下方から接触する。この原稿の最上層は、ピックアップローラ７１によって給紙ベルト７２へと引き渡され、給紙ベルト７２により原稿送り部４０の内部へと搬送される。
【００４９】
給紙ベルト７２は、ピックアップローラ７１の下流側において、その表面下部が第１原稿搬送路４２に突出するように配置されている。また、給紙ベルト７２は、２個のプーリに巻き掛けられ、図３において原稿供給口４１から左方に原稿を搬送できるよう、時計方向に回転する。そして、分離ローラ７３が、給紙ベルト７２の下方に配置され、給紙ベルト７２に接触している。この給紙ベルト７２と分離ローラ７３とが接触して形成される搬送ニップに原稿が挿通される。
【００５０】
給紙ベルト７２と分離ローラ７３とが接触して形成される搬送ニップに原稿が重なって複数枚進入したとき、重なった上側の原稿だけが給紙ベルト７２によって送り出される。分離ローラ７３の作用により、重なった下側の原稿が送り出されることがないので、原稿が重なって送られてしまう重送という問題が起こるのを防止できる。
【００５１】
第１原稿搬送路４２上において、給紙部７０の箇所の下流には、レジストローラ対４８と、搬送ローラ対４９、５０とが設けられている。レジストローラ対４８は、互いに圧接し合うレジストローラ４８ａとコロ４８ｂとで構成され、原稿読取部４３へと向かう原稿に対して、正確な読み取りが実行できるよう、斜め送りを矯正し、好適なタイミングを計って送り出す。
【００５２】
搬送ローラ対５０の箇所の下流には、原稿読取部４３が設けられている。ここで、原稿供給口４１から延びる第１原稿搬送路４２は、給紙部７０、レジストローラ対４８、及び搬送ローラ対４９、５０を経て原稿読取部４３の箇所まで、正面から見て反時計方向に回転するように湾曲している。したがって、第１原稿搬送路４２は、原稿読取部４３の上流側で図３において左方及び下方に向かって延び、第１原稿搬送路４２から続いて延びる第２原稿搬送路４４は、原稿読取部４３の下流側で右斜め上方に向かって、原稿排出口４７及び原稿排出トレイ２２まで延びている。
【００５３】
原稿読取部４３には、読取ガイド部材５１が備えられている。読取ガイド部材５１は、原稿読取部４３の下方に設けられた本体２の画像読取装置７のコンタクトガラス７ａに対向して配置されている。読取ガイド部材５１は、原稿幅方向、すなわち原稿搬送装置２０の前後方向に長く延び、原稿を案内する部分が下方に凸となる形状をなしている。そして、原稿搬送装置２０の、画像読取装置７に対する閉鎖状態において、読取ガイド部材５１は、その下方であって、コンタクトガラス７ａとの間を搬送される原稿が、コンタクトガラス７ａに接触するように案内している。
【００５４】
原稿読取部４３に送り込まれた原稿は、第１原稿搬送路４２から第２原稿搬送路４４へと、図３において読取ガイド部材５１の下側の箇所を左方から右方へと移動する最中に、すなわちコンタクトガラス７ａ上を通過する際、コンタクトガラス７ａの下方に配置された読取ユニット（図示せず）により画像データが読み取られる。
【００５５】
第２原稿搬送路４４の、原稿読取部４３の下流には、原稿切替部４５が設けられている。原稿切替部４５には、略水平に前後方向に延びる支軸（図示せず）を中心として、垂直面内で揺動可能な切替ガイド５２が備えられている。切替ガイド５２は、原稿搬送装置２０の前後方向、すなわち原稿幅方向に長く延び、原稿を振り分け易いように、原稿搬送方向上流側の先端部の正面から見た垂直断面形状がくさび形をなしている。また、切替ガイド５２は、その背面側に配置された駆動装置であるソレノイド（図示せず）によって駆動せしめられ、原稿搬送方向上流側の先端部を上下に振るように姿勢変更する。
【００５６】
原稿切替部４５の下流側であって、第２原稿搬送路４４の下流端には、原稿排出口４７、及び原稿排出ローラ対５３が設けられている。画像データの読み取りが済んだ原稿は、原稿排出ローラ対５３によって原稿排出口４７から原稿排出トレイ２２（図２参照）に排出される。
【００５７】
一方、原稿切替部４５の下流には、図３において略右方に延びる第２原稿搬送路４４に対して右斜め上方に、第３原稿搬送路５４が延びている。原稿の、表裏両面の画像データの読み取りが必要な場合、原稿切替部４５の切替ガイド５２を下方へと姿勢変更し、原稿読取部４３で第１面の画像データが読み取られた原稿を、第２原稿搬送路４４の途中から第３原稿搬送路５４を経て、原稿反転部４６へと送り込む。
【００５８】
第３原稿搬送路５４の、原稿切替部４５の下流には、第１原稿分岐部５５が設けられている。第１原稿分岐部５５は、第３原稿搬送路５４よりも原稿排出トレイ２２側に設けられた、後述する第５原稿搬送路６２との分岐箇所であって、第３原稿搬送路５４と第５原稿搬送路６２との間に、第１分岐ガイド５６を備えている。
【００５９】
第１分岐ガイド５６は、原稿搬送装置２０の前後方向（原稿幅方向）に長く延び、第３原稿搬送路５４の下流側先端部、すなわち上端部の正面から見た垂直断面形状がくさび形をなしている。また、第１分岐ガイド５６は、その下部が原稿搬送装置２０のフレームにバネ材（図示せず）で連結されて支持され、この支持部を中心として上端側を、原稿搬送方向に沿った垂直面内で揺動可能である。
【００６０】
第１分岐ガイド５６は、その上端側が第３原稿搬送路５４を塞ぐように配置されている。また、第１分岐ガイド５６を支持するバネ材は、原稿の第１分岐ガイド５６への当接によって湾曲する程度の弾発力を有している。これにり、第１分岐ガイド５６は、原稿が第３原稿搬送路５４を通過するとき、下流側先端部、すなわち上端部を図３において右方に振るように姿勢変更する。そして、原稿が第１分岐ガイド５６の箇所を通過し終わったとき、或いは原稿が当接していないとき、第１分岐ガイド５６は、上端部を左方に振り、図３に示す姿勢、すなわち第３原稿搬送路５４を塞ぐような姿勢を保持する。
【００６１】
第３原稿搬送路５４の下流端であって、原稿反転部４６との間には、第２原稿分岐部５７が設けられている。第２原稿分岐部５７には、第２分岐ガイド５８が備えられている。第２分岐ガイド５８は、原稿搬送装置２０の前後方向（原稿幅方向）に長く延び、第３原稿搬送路５４の下流側先端部、すなわち図３における右端部の正面から見た垂直断面形状がくさび形をなしている。また、第２分岐ガイド５８は、その左側部分に、略水平に前後方向に延びる支軸（図示せず）を有し、この支軸を中心として、原稿搬送方向に沿った垂直面内で揺動可能である。
【００６２】
第２分岐ガイド５８は、図３におけるその右端側が第３原稿搬送路５４を塞ぐように配置されている。また、第２分岐ガイド５８は、第２分岐ガイド５８右端部への原稿の当接により、前記支軸中心に揺動可能な程度の重さで形成されている。これにより、第２分岐ガイド５８は、原稿が第３原稿搬送路５４を通過するとき、下流側先端部、すなわち右端部を図３において上方に振るように姿勢変更する。そして、原稿が第２分岐ガイド５８の箇所を通過し終わったとき、或いは原稿が当接していないとき、第２分岐ガイド５８は、重力及び図示しないストッパの作用により右端部を下方に振り、図３に示す姿勢、すなわち第３原稿搬送路５４を塞ぐような姿勢を保持する。
【００６３】
原稿反転部４６は、第３原稿搬送路５４の下流であって、第２原稿搬送路４４下流部の上方に配置され、反転ローラ対５９と、反転用トレイ６０とを備えている。
【００６４】
反転ローラ対５９は、第３原稿搬送路５４に対して原稿反転部４６の最上流部に配置され、互いに当接し合って原稿を搬送するための搬送ニップを形成する反転ローラ５９ａと、従動コロ５９ｂとで構成されている。反転ローラ５９ａは、図示しないモータにより、図３における時計方向及び反時計方向に回転せしめられる。従動コロ５９ｂは、上側から反転ローラ５９ａに圧接している。反転用トレイ６０は、原稿載置トレイ２１のすぐ下方に比較的狭い隙間を隔てて配置され、原稿載置トレイ２１と同様に斜め上方に向かって延びている（図２参照）。
【００６５】
原稿反転部４６では、第３原稿搬送路５４を通って図３において左方から右方へと搬送されてきた原稿の下流部分を反転用トレイ６０へと一旦送り込み、その原稿の上流部分が反転ローラ対５９の箇所に差し掛かったとき、反転ローラ５９ａと従動コロ５９ｂとの搬送ニップに原稿を保持した状態で反転ローラ５９ａの回転を逆転させることにより、原稿の搬送方向を右方から左方へと変更する。
【００６６】
図３において、原稿反転部４６及び第２原稿分岐部５７の左方であって、第３原稿搬送路５４及び原稿読取部４３の上方には、第４原稿搬送路６１が設けられている。第４原稿搬送路６１は、原稿反転部４６及び第２原稿分岐部５７の箇所から、図３において左方に向かって延び、その先で第１原稿搬送路４２の、レジストローラ対４８の上流の箇所に合流している。これにより、第２原稿分岐部５７を完全に通過して原稿反転部４６で搬送方向が変更された原稿は、第４原稿搬送路６１を通り、原稿読取部４３の上流側で再度第１原稿搬送路４２に送り込まれ、原稿読取部４３に到達して、下側の面である第２面の画像データが読み取られる。
【００６７】
そして、第３原稿搬送路５４の途中であって、第４原稿搬送路６１との分岐部である第２原稿分岐部５７の上流側の第１原稿分岐部５５で第３原稿搬送路５４から分岐する形で、第５原稿搬送路６２が設けられている。第５原稿搬送路６２は、第１原稿分岐部５５で第３原稿搬送路５４から分岐して下方に向かって延び、切替ガイド５２を有する原稿切替部４５の下流側で第２原稿搬送路４４に合流している。第５原稿搬送路６２の途中には、搬送ローラ対６３が備えられている。第５原稿搬送路６２は、表裏両面の画像データの読取が完了した原稿を、再度原稿反転部４６に送り込んでスイッチバックさせることによって、当初原稿載置トレイ２１に積み上げられていた状態と表裏を合わせて原稿排出トレイ２２に排出すべく、第２原稿搬送路４４の原稿排出トレイ２２方向に搬送する。
【００６８】
次に、給紙装置３０のリフト板３１の動作に係る機構について、図３に加えて、図４〜図９を用いて説明する。図４はリフト板及び給紙部周辺を前方から見た部分拡大斜視図、図５はリフト板及びその駆動機構を前方から見た部分拡大斜視図、図６はリフト板の駆動機構周辺を後方から見た部分拡大斜視図、図７はリフト板の駆動機構の一部を示す斜視図、図８はリフト板及びその駆動機構の箇所を示す部分拡大正面図、図９は昇降機構の作動リンクの垂直断面図である。
【００６９】
給紙装置３０は、図４及び図５に示すように、リフト板３１に対して、その駆動機構８０を備えている。駆動機構８０は、リフト板３１の、原稿幅方向の一端の外側である背面側であって、リフト板３１の原稿搬送方向下流端より下流側に配置されている。駆動機構８０は、リフト板３１を昇降させる昇降機構９０を包含するとともに、この昇降機構９０を駆動するための駆動源であるモータ８１、ギア群８２、ハウジング８３、及び下限検知装置１００を備えている。
【００７０】
昇降機構９０は、図５〜図８に示すように、従動ギア９１、カム９２、作動リンク９３、及びばね９４を備えている。
【００７１】
従動ギア９１は、原稿幅方向、すなわち前後方向に略水平に延びる支軸９１ａに固定され、この支軸９１ａの軸線を中心として回転自在に設けられている。なお、支軸９１ａは、従動ギア９１の箇所から前方に向かって延びている。従動ギア９１は、ギア群８２を介して、モータ８１の駆動ギア８１ａに連結し、駆動源であるモータ８１から動力を得て回転する。
【００７２】
カム９２は、回転軸である支軸９１ａの正面側の端部に固定されている。これにより、カム９２は、従動ギア９１の回転に従って、原稿搬送方向に沿った垂直面内で回転する。
【００７３】
作動リンク９３は、カム９２の下方に、カム９２及びリフト板３１とは独立して設けられ、駆動機構８０の箇所から原稿搬送方向上流側のリフト板３１に向かって横方向に延びている（図８参照）。作動リンク９３は、原稿搬送方向下流側の端部に備えられた、原稿幅方向、すなわち前後方向に略水平に延びる支軸９３ａを介して支持され、この支軸９３ａの軸線を中心として、自由端である上流側端部を上下に振るように垂直面内で揺動自在である。
【００７４】
また、作動リンク９３は、その上面が、カム９２の周面に対応する箇所に配置されている。そして、カム９２は、原稿搬送方向上流側に沿って延びる作動リンク９３の、支軸９３ａと上流側端部との略中間箇所の上面に、その周面が当接する。作動リンク９３の自由端である上流側端部は、その下面が、図６及び図８に示すように、リフト板３１の下流部背面から後方に向かって略水平に延びる作動ピン３１ｂの周面の上側に当接している。このようにして、作動リンク９３を挟んで、リフト板３１及びカム９２が互いに対向する側に位置している。そして、作動リンク９３は、カム９２とリフト板３１との間に介在し、カム９２の形状に伴う動きをリフト板３１に伝達する。
【００７５】
なお、作動リンク９３は、図９に示すように、長手方向と直角をなす断面形状がＩ字型形状をなしている。そして、そのＩ字型形状の、上方からカム９２が、下方からリフト板３１の作動ピン３１ｂが当接している。
【００７６】
一方、リフト板３１の下方には、ばね９４が備えられている。ばね９４は、図示しない原稿搬送装置２０のフレームとリフト板３１との間に配置され、リフト板３１の下流部を上方に向かって、すなわち給紙位置の方向に付勢する付勢手段である。これにより、リフト板３１に対して、ばね９４によるリフト板３１の付勢方向と対向する側に、カム９２及び作動リンク９３が配置されているので、リフト板３１の作動ピン３１ｂと作動リンク９３とが、そして作動リンク９３とカム９２とが、互いに常時当接するようになっている。その結果、カム９２がモータ８１からの動力を得て回転すると、作動リンク９３とリフト板３１との自由端側が、カム９２の形状に伴って上下に揺動する。
【００７７】
下限検知装置１００は、図７及び図８に示すように、指示片である遮蔽板１０１と、下限検知センサ１０２とを備えている。
【００７８】
遮蔽板１０１は、従動ギア９１の支軸９１ａの径方向外側に向かって延び、その表裏平面が支軸９１ａの軸線と直角をなすように、支軸９１ａに固定されている。遮蔽板１０１は、従動ギア９１の近傍に設けられ、その正面から見た形状が、略台形形状をなしている。また、遮蔽板１０１は、支軸９１ａに固定されたカム９２が作動リンク９３を最も押し下げる状態、すなわちリフト板３１が最も押し下げられた状態において、上方に向かって突出するように、支軸９１ａに設けられている（図８参照）。
【００７９】
下限検知センサ１０２は、遮蔽板１０１に対応する箇所であって、その上方に配置されている。下限検知センサ１０２は、光センサであるフォトインタラプタで構成され、対向し合う発光部と受光部とを備え、これらの間に隙間が設けられている。下限検知センサ１０２は、発光部から出射した光が受光部に入射するのを識別するものであって、この光が遮蔽されることにより発光部と受光部との間に他部材が存在することを検知する。すなわち、下限検知センサ１０２は、発光部と受光部との間に出没する遮蔽板１０１を検知する。遮蔽板１０１が、リフト板３１が最も押し下げられた状態において上方に、すなわち下限検知センサ１０２に向かって突出するので、下限検知センサ１０２は、遮蔽板１０１が示すリフト板３１の下限位置を検知することになる。
【００８０】
以上のような駆動機構８０の構成要素のうち、ばね９４を除くモータ８１、ギア群８２、昇降機構９０、及び下限検知装置１００が、図５〜図７に示すように、ハウジング８３にまとめて設けられ、ユニット化されている。
【００８１】
続いて、給紙装置３０による給紙動作について、図８に加えて、図１０を用いて説明する。図１０は、図８と同様のリフト板及びその駆動機構の箇所を示す部分拡大正面図にして、図８とはリフト板の姿勢が異なる状態を示すものである。
【００８２】
給紙装置３０は、原稿を原稿載置トレイ２１から原稿読取部４３に向かって送り出す動作をしないとき、原稿載置トレイ２１にあらためて原稿を載置することがあるので、リフト板３１を、図８に示すように、その下流部が最も下方に位置する姿勢に保持している。
【００８３】
これに関して、駆動機構８０の、下限検知装置１００の下限検知センサ１０２は、前述のように、カム９２と作動リンク９３によって押し下げられたリフト板３１の下限位置を、その指示片である遮蔽板１０１を介して検知する。原稿搬送装置２０は、原稿載置トレイ２１の原稿が空になったことを認識すると、給紙装置３０の駆動機構８０を制御してリフト板３１を下限位置の姿勢で保持するとともに、ピックアップローラ７１の回転を停止する。
【００８４】
一方、原稿載置トレイ２１に原稿が載置され、原稿の給紙開始の指令を受けると、原稿搬送装置２０は、リフト板３１の昇降機構９０を駆動する駆動機構８０を作動させる。
【００８５】
駆動機構８０では、図１０に示すように、モータ８１が正面から見て反時計方向に回転する。これにより、ギア群８２を介して、昇降機構９０のカム９２及び下限検知装置１００の遮蔽板１０１も正面から見て反時計方向に回転する。
【００８６】
カム９２が回転すると、そのカム９２の形状とばね９４の弾発力との作用により、作動リンク９３の上流側及びリフト板３１の下流部が徐々に上昇する。このカム９２に回転に伴うリフト板３１下流部の上昇は、原稿束の最上層がピックアップローラ７１に当接する給紙位置に至るまで続く。原稿束の最上層のピックアップローラ７１への当接が上限検知センサ（図示せず）にて検知されると、ピックアップローラ７１及び給紙ベルト７２が原稿搬送方向に回転せしめられ、原稿は、図９において左方に向かって原稿載置トレイ２１（図３参照）の外へと送り出される。
【００８７】
原稿載置トレイ２１に載置された原稿は、その存在が、常時原稿セットセンサ（図示せず）を用いて監視されている。原稿載置トレイ２１に原稿が存在する間、原稿束の最上層がピックアップローラ７１に当接する給紙位置を保持するよう、上限検知センサを用いてリフト板３１の姿勢が制御される。原稿は、給紙部７０によって、原稿載置トレイ２１から送り出され続ける。
【００８８】
その後、原稿セットセンサが原稿載置トレイ２１に載置された原稿束の最後の原稿を検知したとき、原稿搬送装置２０は、リフト板３１の昇降機構９０を駆動する駆動機構８０を作動させる。これにより、駆動機構８０がカム９２を正面から見て反時計方向に回転させ、カム９２は、ばね９４の弾発力に抗して、作動リンク９３の上流側及びリフト板３１の下流部を押し下げ始める。そして、カム９２と同時に回転する下限検知装置１００の遮蔽板１０１が下限検知センサ１０２の箇所に差し掛かったとき、下限検知センサ１０２は遮蔽板１０１の存在を検知する。
【００８９】
原稿搬送装置２０は、下限検知センサ１０２が遮蔽板１０１の存在を検知すると、前述のように、駆動機構８０のモータ８１を停止し、ピックアップローラ７１の回転も停止する。これにより、図８に示すように、リフト板３１を下限位置の姿勢で保持することができる。
【００９０】
上記のように、用紙収容部である原稿載置トレイ２１から原稿を１枚ずつ分離して送り出す給紙部７０と、原稿載置トレイ２１の原稿の搬送方向下流部を給紙位置まで持ち上げるリフト板３１と、このリフト板３１を昇降させる昇降機構９０とを備えた給紙装置３０において、昇降機構９０は、回転するカム９２と、このカム９２及びリフト板３１とは独立して設けられるとともに、カム９２とリフト板３１との間に介在し、カム９２の形状に伴う動きをリフト板３１に伝達する作動リンク９３とを備えているので、作動リンク９３を利用して、カム９２の動きを間接的にリフト板３１に伝達することができる。これにより、リフト板３１の支軸３１ａにねじれなどといった不具合が発生するのを防止することができ、リフト板３１の高さを安定させることが可能である。また、作動リンク９３の配置は自在に変更することが可能であり、カム９２とリフト板３１とを離れた箇所に配置することもできる。これにより、簡便な構成で、給紙装置３０の大型化、コストアップを防止しながら、好適なリフト板３１の昇降動作を実現することが可能である。このようにして、リフト板３１の駆動機構８０の構成に制約を受けることがなく、安定した給紙動作を遂行することが可能な給紙装置３０を提供することができる。
【００９１】
また、作動リンク９３は、一端側に設けられた支軸９３ａで支持されるとともに、この支軸９３ａの軸線を中心とし、他端側を自由端として揺動自在であって、作動リンク９３を挟んで、リフト板３１及びカム９２が互いに対向する側に位置し、自由端近傍にリフト板３１が、支軸９３ａと自由端との中間箇所にカム９２が当接するので、棒状の部材である作動リンク９３を用いて、カム９２の動きを効率よくリフト板３１に伝達する簡便な機構を構成することができる。これにより、リフト板３１の駆動機構８０の設計やその配置に自由度が高くなり、さらに給紙動作の安定性を向上させることができる。そして、リフト板の支軸にレバーを固定し、このレバーを介してカムの動きを直接的にリフト板に伝達する場合と比較して、コストアップや装置の大型化をほとんど生じさせることがない。
【００９２】
そして、作動リンク９３は、長手方向と直角をなす断面形状がＩ字型形状をなすとともに、そのＩ字型形状の上下方向から各々リフト板３１及びカム９２が当接するので、断面係数が高くなり、作動リンク９３自体の強度を高めることができる。これにより、カム９２とリフト板３１との間で負荷が掛かるような場合であっても、作動リンク９３の変形を防止することができる。したがって、リフト板３１の高さが一層安定し、好適な給紙動作を遂行し続けることが可能である。
【００９３】
さらに、昇降機構９０は、リフト板３１を給紙位置の方向に付勢する付勢手段であるばね９４を備え、リフト板３１に対して、このばね９４によるリフト板３１の付勢方向と対向する側に、カム９２及び作動リンク９３が配置されているので、ばね９４の弾発力を利用して原稿束の最上層をピックアップローラ７１に当接、離間させ、その動作をカム９２及び作動リンク９３で制御することになる。したがって、ばね９４の弾発力を調節することで、原稿とピックアップローラ７１との当接具合を好適な状態に設定することができ、さらにそのばね９４の弾発力と、カム９２及び作動リンク９３の制御とで、スムーズな給紙動作を遂行することが可能である。
【００９４】
また本発明では、上記給紙装置３０を原稿搬送装置２０に搭載したので、原稿束の最上層を給紙位置に変位させるべく揺動するリフト板３１の駆動機構８０の構成に制約を受けることがなく、安定した給紙動作を遂行することが可能な信頼性の高い原稿搬送装置２０を提供することができる。
【００９５】
また本発明では、上記給紙装置３０を画像形成装置１に搭載したので、原稿束や用紙束の最上層を給紙位置に変位させるべく揺動するリフト板の駆動機構の構成に制約を受けることがなく、安定した給紙動作を遂行することが可能な信頼性の高い画像形成装置１を提供することができる。
【００９６】
以上、本発明の実施形態につき説明したが、本発明の範囲はこれに限定されるものではなく、発明の主旨を逸脱しない範囲で種々の変更を加えて実施することができる。
【００９７】
例えば、上記実施形態では、本発明の給紙装置３０を、画像形成装置１の上部に備えられた原稿搬送装置２０において、原稿を給紙するために搭載したが、給紙装置３０を搭載できる箇所はこれに限定されるわけではなく、画像形成装置１の本体２の給紙カセット３や手差し給紙部５において、印刷前の用紙を給紙するために搭載しても構わない。さらに、原稿搬送装置２０や画像形成装置１以外の機器に、給紙装置３０を搭載することにしても構わない。
【００９８】
また、原稿搬送装置２０を搭載した画像形成装置１は、上記実施形態ではブラックトナーのみを使用したモノクロ印刷用の画像形成装置であるが、このような機種に限定されるわけではなく、中間転写ベルトを備え、複数色を重ね合わせて画像形成することが可能なタンデム方式、或いはロータリーラック方式のカラー印刷用画像形成装置であっても構わない。
【００９９】
また、上記実施形態では、作動リンク９３を挟んで、リフト板３１及びカム９２が互いに対向する側に位置し、自由端近傍にリフト板３１が当接し、支軸９３ａと自由端との略中間箇所にカム９２が当接することとしたが、支軸９３ａをリフト板３１の近傍に設け、原稿搬送方向下流側に向かって自由端側が延びる構成にして、支軸９３ａと自由端との略中間箇所にリフト板３１が当接し、自由端側にカム９２が当接するようにしても構わない。
【産業上の利用可能性】
【０１００】
本発明は、原稿載置トレイの原稿の搬送方向下流部を給紙位置まで持ち上げ、変位させるリフト板を備えた原稿搬送装置において利用可能である。
【図面の簡単な説明】
【０１０１】
【図１】本発明の実施形態に係る原稿搬送装置を搭載した画像形成装置の模型的垂直断面正面図である。
【図２】図１の原稿搬送装置の模型的垂直断面正面図である。
【図３】図２の原稿搬送装置の原稿送り部を示す垂直断面正面図である。
【図４】図２のリフト板及び給紙部周辺を前方から見た部分拡大斜視図である。
【図５】図２のリフト板及びその駆動機構を前方から見た部分拡大斜視図である。
【図６】図２のリフト板の駆動機構周辺を後方から見た部分拡大斜視図である。
【図７】図４のリフト板の駆動機構の一部を示す斜視図である。
【図８】図４のリフト板及びその駆動機構の箇所を示す部分拡大正面図である。
【図９】図５の昇降機構の作動リンクの垂直断面図である。
【図１０】図８と同様のリフト板及びその駆動機構の箇所を示す部分拡大正面図にして、図８とはリフト板の姿勢が異なる状態を示すものである。
【符号の説明】
【０１０２】
１    画像形成装置
２    本体
７    画像読取装置
２０  原稿搬送装置
２１  原稿載置トレイ（用紙収容部）
２２  原稿排出トレイ
３０  給紙装置
３１  リフト板
３１ａ  支軸
３１ｂ  作動ピン
４０  原稿送り部
８０  駆動機構
８１  モータ（駆動源）
８２  ギア群
８３  ハウジング
９０  昇降機構
９１  従動ギア
９２  カム
９３  作動リンク
９３ａ  支軸
９４  ばね
１００  下限検知装置
１０１  遮蔽板
１０２  下限検知センサ
【図１】
2009286517.tif 000003
【図２】
2009286517.tif 000004
【図３】
2009286517.tif 000005
【図４】
2009286517.tif 000006
【図５】
2009286517.tif 000007
【図６】
2009286517.tif 000008
【図７】
2009286517.tif 000009
【図８】
2009286517.tif 000010
【図９】
2009286517.tif 000011
【図１０】
2009286517.tif 000012